(57)【要約】【課題】物品が懸架されるフックに過度な外力が加えられた場合であっても、当該フックおよび物品の損壊を回避することができるようにするとともに、物品のハンガー部やコードを整理して懸架しやすくすることができるようにする。【解決手段】第１の懸架部１１と、当該第１の懸架部１１の前方先端よりもさらに前方に設けられた第２の懸架部１２とを備え、第２の懸架部１２を弾性部材により構成することにより、異なる部位に形成された第１の懸架部１１と第２の懸架部１２のそれぞれに対して物品を整理して懸架することができるようにするとともに、第２の懸架部１２に懸架された物品が無理に引っ張られる等により、水平方向に過度な外力が第２の懸架部１２に加えられた場合であっても、第２の懸架部１２が弾性変形して物品の係止状態が解除され、外力を逃がすことができるようにする。【選択図】図１
2015208523.tif 000002
【特許請求の範囲】
【請求項１】
物品が懸架される部分であって、壁面に固定されたフックの少なくとも上方部分を挿入可能な空洞を内部に有している第１の懸架部と、
上記第１の懸架部の前方先端よりもさらに前方に設けられ、物品が懸架される第２の懸架部とを備え、
上記第１の懸架部は、上記フックの少なくとも上方部分を上記空洞内に挿入したときに、上記第１の懸架部を上記フックに対して固定させるための構造を有しており、
上記第２の懸架部は、少なくとも上記第１の懸架部との接続部位から所定長の部分が弾性部材により構成されていることを特徴とする吊り下げ用フック。
【請求項２】
上記第１の懸架部は、上記フックの少なくとも上方部分を上記空洞内に挿入したときに上記壁面の側となる後方端部から上記前方先端まで、上記壁面に対して略垂直に突出する形状に構成されており、
上記第１の懸架部の上記前方先端に設けられ、上記第１の懸架部に懸架された上記物品を係止する係止部をさらに備えたことを特徴とする請求項１に記載の吊り下げ用フック。
【請求項３】
上記第１の懸架部は、上記フックの少なくとも上方部分を上記空洞内に挿入したときに上記壁面の側となる後方端部から上記前方先端までの間において、後方下側から前方上側に向けて傾斜する面を有する形状に構成されていることを特徴とする請求項１に記載の吊り下げ用フック。
【請求項４】
上記第２の懸架部は、上記物品が懸架された状態で、上記壁面から水平方向に離間する方向の外力を上記物品が受けた場合、当該外力により上記弾性部材が変形して、上記壁面から水平方向に離間する方向に傾倒する可倒性を有していることを特徴とする請求項１〜３の何れか１項に記載の吊り下げ用フック。
【請求項５】
上記第２の懸架部は、上記第１の懸架部との接続部位から所定距離の位置に、幅方向の全域にわたって形成された直線状の溝であるスリットを有していることを特徴とする請求項４に記載の吊り下げ用フック。
【請求項６】
上記空洞の形状およびサイズが、上記フックの少なくとも上方部分を上記空洞内に挿入したときに、上記第１の懸架部の上記空洞側の内接面と上記フックの外接面とが圧接するような形状およびサイズに形成されていることを特徴とする請求項１〜５の何れか１項に記載の吊り下げ用フック。
【発明の詳細な説明】
【技術分野】
【０００１】
本発明は、物品を壁面から吊り下げるための吊り下げ用フックに関するものである。
【背景技術】
【０００２】
一般的に、ナースコールシステムは、ベッドサイド等に設置するナースコール子機と、ベッドサイド等の壁に埋め込み設置するウォールユニットと、部屋の入口付近に設置する廊下灯と、ナースセンタに設置するナースコール親機とを備えて構成されている。ナースコール子機には種々のタイプがあるが、例えば図７（ａ）に示すように、呼出ボタン１０１の他にスピーカ１０２とマイク１０３とを備えて通話を行うことが可能なタイプのハンド形子機１００が多く用いられている。また、図７（ｂ）のように、呼出ボタン１１１のみを備えたタイプの握り押しボタン１１０も存在する。
【０００３】
また、ウォールユニットにも種々のタイプがある。例えば、ナースコール子機のプラグを接続する差込口（プラグ受け）を備えるとともに、呼出ボタン、スピーカ、マイクを備えて通話を行うことが可能なタイプの壁埋込形子機がある。また、ウォールユニットの中には、図８に示すように、差込口２０１の他に、図７（ａ）に示したハンド形子機１００が備えるハンガー部１０４を懸架することが可能になされたフック２０２を備えたものも存在する。
【０００４】
図８に示すような一般的なフック機能付きウォールユニットでは、フック２０２が固定式であり、フック２０２の姿勢変化ができないように構成されている。そのため、例えば、フック２０２に懸架されたハンド形子機１００が無理に引っ張られた場合（例えば、ハンド形子機１００のコードをベッドの手すりに括り付けた状態のまま、ベッドを移動させると、ハンド形子機１００がベッドによって無理に引っ張られてしまう）、フック２０２およびハンド形子機１００のハンガー部１０４に過度な外力が加わり、フック２０２またはハンガー部１０４の損壊を招く恐れがある。
【０００５】
また、フックが特定の電気機器を懸架するためのものである場合、この電気機器よりも重い物体が懸架されると、フックが重さに耐えることができなくなり、フックが壊れてしまうケースが生じる。このような問題を回避するための技術として、電気機器に設けられたハンガー部を懸架するための突出部を回転可能に壁面に取り付け、電気機器のプラグがコンセントに接続されたときに、突出部が上方に位置するように回転して電気機器のハンガー部を懸架可能な状態となる一方、突出部が下方に位置するように回転したときに、コンセントに接続されているプラグの接続を解除し、突出部がハンガー部を保持しなくなるようにしたものが提案されている（例えば、特許文献１参照）。
【０００６】
【特許文献１】特開２０１１−２５３６５０号公報
【発明の概要】
【発明が解決しようとする課題】
【０００７】
しかしながら、上記特許文献１に記載のフックでは、突出部が上方に位置するように回転して電気機器（ハンド形子機など）のハンガー部が突出部に懸架された状態で、ベッドの手すりにコードが括り付けられたハンド形子機が無理に引っ張られた場合に、突出部が自動的に下方に位置するように回転して突出部がハンガー部を保持しなくなるわけではない。そのため、ハンド形子機が無理に引っ張られた場合に、フックまたはハンガー部の損壊を招く恐れがあるという問題は解消することができない。
【０００８】
また、上記特許文献１に記載のフックでは、物を懸架することが可能な部分は突出部の１ヵ所のみとなっている。これは、１つのフックには１つの物品（ハンド形子機など）を懸架することを前提としたものである。なお、ハンド形子機に対して握り押しボタンを連結して使用することがある。この場合、フックの突出部にハンド形子機のハンガー部を懸架した上で、さらに握り押しボタンのコードを突出部に掛けておくことが可能である。
【０００９】
しかしながら、このようにすると、患者がハンド形子機をフックから外して使用しようとする際に、同じ突出部に掛けられている握り押しボタンのコードが邪魔になってハンガー部を外しにくくなることがあるという問題があった。逆に、患者が握り押しボタンをフックから外して使用しようとする際に、同じ突出部に掛けられているハンド形子機のハンガー部が邪魔になってコードを外しにくくなることがあるという問題もあった。
【００１０】
本発明は、このような問題を解決するために成されたものであり、物品が懸架されるフックに対して過度な外力が加えられた場合であっても、当該フックおよび物品の損壊を回避することができるようにするとともに、物品のハンガー部やコードを整理して懸架しやすくすることができるようにすることを目的とする。
【課題を解決するための手段】
【００１１】
上記した課題を解決するために、本発明の吊り下げ用フックは、物品が懸架される第１の懸架部と、当該第１の懸架部の前方先端よりもさらに前方に設けられ、物品が懸架される第２の懸架部とを備える。そして、第２の懸架部を、少なくとも第１の懸架部との接続部位から所定長の部分を弾性部材により構成するようにしている。
【発明の効果】
【００１２】
上記のように構成した本発明によれば、異なる部位に形成された第１の懸架部と第２の懸架部のそれぞれに対して物品を整理して懸架することができる。例えば、第１の懸架部にある物品のコードを掛ける一方、第２の懸架部に別の物品のハンガー部を懸架するといった使い方ができる。また、本発明によれば、物品が第２の懸架部に懸架された状態において、懸架された物品が無理に引っ張られる等により、水平方向（壁面から離間する方向）に過度な外力が第２の懸架部に加えられた場合であっても、弾性部材が変形して第２の懸架部が変位することにより、物品の係止状態が解除され、外力を逃がすことができる。これにより、吊り下げ用フックおよび物品の損壊を回避することができる。
【図面の簡単な説明】
【００１３】
【図１】本実施形態による吊り下げ用フックの構成例を示す図である。
【図２】本実施形態による吊り下げ用フックを壁面に固定されたフックに装着した状態を示す側断面図である。
【図３】本実施形態による吊り下げ用フックにハンド形子機および握り押しボタンが懸架された通常の使用状態を示す側面図である。
【図４】本実施形態による吊り下げ用フックがハンド形子機によって引っ張られたときの状態を示す側面図である。
【図５】本実施形態による吊り下げ用フックの第１の懸架部の変形例を示す図である。
【図６】本実施形態による吊り下げ用フックの変形例を示す側面図である。
【図７】ナースコール子機の構成例を示す図である。
【図８】フック付きウォールユニットの従来の構成例を示す図である。
【発明を実施するための形態】
【００１４】
以下、本発明の一実施形態を図面に基づいて説明する。図１は、本実施形態による吊り下げ用フック１の構成例を示す図であり、（ａ）は側面図、（ｂ）は背面図（図１（ａ）の左側から見た図）を示している。本実施形態による吊り下げ用フック１は、図８に示したフック２０２に対して着脱可能に構成したものである。
【００１５】
図１に示すように、本実施形態による吊り下げ用フック１は、第１の懸架部１１、第２の懸架部１２および係止部１３を備えて構成されている。第１の懸架部１１は、物品が懸架される部分である。例えば、図７（ａ）に示したハンド形子機１００のハンガー部１０４、または図７（ｂ）に示した握り押しボタン１１０のコード１１２を第１の懸架部１１に懸架することが可能である。
【００１６】
第１の懸架部１１は、壁面に固定されたフック２０２の少なくとも上方部分（本実施形態では、フック２０２の全体）を挿入可能な空洞２１を内部に有している。第１の懸架部１１は、フック２０２を空洞２１内に挿入したときに、第１の懸架部１１をフック２０２に対して固定させるための構造を有している。具体的には、空洞２１が、下方が開放された空間であり、その空間の断面形状がフック２０２の係止部の外形と略同じ形状となっている。
【００１７】
このような構成により、フック２０２を空洞２１内に挿入するようにして吊り下げ用フック１をフック２０２に装着したときに、第１の懸架部１１の空洞２１側の内接面２２と、フック２０２の係止部の外接面とが圧接するようになっている。なお、吊り下げ用フック１をフック２０２に装着したときの密着度を上げるため、空洞２１の断面形状の大きさをフック２０２の係止部の大きさと略同じか、それより若干小さく形成するのが好ましい。さらに、この第１の懸架部１１を、弾性を有する部材、例えば軟性樹脂（ゴムまたはエストラマー）により構成するのが好ましい。
【００１８】
第１の懸架部１１は、フック２０２を空洞２１内に挿入したときに壁面の側となる後方（図１（ａ）の左側）端部から前方（図１（ａ）の右側）先端まで、壁面に対して略垂直に突出する形状に構成されている。係止部１３は、そのように構成された第１の懸架部１１の前方先端に設けられている。そして、係止部１３は、第１の懸架部１１に懸架された物品を係止する機能を有している。
【００１９】
すなわち、係止部１３は、第１の懸架部１１の先端面において、第１の懸架部１１の最上面よりも上側に張り出した構成となっている。この係止部１３により、第１の懸架部１１に懸架された物品の水平方向（壁面から離間する方向）への抜け落ちを係止することが可能となっている。
【００２０】
第２の懸架部１２も、第１の懸架部１１と同様物品が懸架される部分であり、第１の懸架部１１の前方先端よりもさらに前方に設けられている。第２の懸架部１２は、第１の懸架部１１とは形状が異なる。すなわち、第２の懸架部１２は、側断面が略Ｌ字型の形状をしている。そして、第２の懸架部１２は、第１の懸架部１１の先端面の最下部から立設され、断面がＬ字の一辺を成す第１の面１２ａがほぼ水平状態となり、もう一辺を成す第２の面１２ｂがほぼ垂直状態となっている。このほぼ垂直状態となった第２の面１２ｂにより、第２の懸架部１２に懸架された物品の水平方向（壁面から離間する方向）への抜け落ちを係止することが可能となっている。
【００２１】
なお、ここでは、第２の懸架部１２を側断面が略Ｌ字型の形状となるように構成する例を示しているが、これに限定されない。例えば、側断面が略ノの字型またはＵ字の右半分のような形状となるように構成してもよい。
【００２２】
この第２の懸架部１２は、少なくとも第１の懸架部１１との接続部位から所定長の部分（本実施形態では、第２の懸架部１２の全体）が弾性部材により構成されている。弾性部材は、例えば、第１の懸架部１１と同様のゴムまたはエストラマーである。つまり、本実施形態では、第１の懸架部１１、第２の懸架部１２および係止部１３の全てを、ゴムまたはエストラマーにより一体的に成形している。第２の懸架部１２を弾性部材で構成することにより、第２の懸架部１２は、ここに物品が懸架された状態で、壁面から水平方向に離間する方向の外力を物品が受けた場合、当該外力により弾性部材が変形して、壁面から水平方向に離間する方向に傾倒する可倒性を有している。
【００２３】
この可倒性を強めるために、第２の懸架部１２は、第１の懸架部１１との接続部位から僅かに離れた第１の面１２ａ上の位置に、当該第１の面１２ａの厚みを部分的に小さくするためのスリット１４を有している。このスリット１４は、第１の面１２ａの幅方向（図１（ｂ）の左右方向）の全域にわたって形成された直線状の溝である。このスリット１４がなくても第２の懸架部１２は可倒性を有するが、可倒性を強めるために形成するのが好ましい。
【００２４】
図２は、本実施形態による吊り下げ用フック１を、壁面５０に固定されたフック２０２に装着した状態を示す側断面図である。図２に示す吊り下げ用フック１の断面は、図１（ｂ）にＸ−Ｘで示した箇所のものである。図２に示すように、第１の懸架部１１０の長さは、壁面５０に設けられた化粧プレート２００からのフック２０２の長さと略同じか、それより若干長く形成されている。これにより、吊り下げ用フック１をフック２０２に装着すると、吊り下げ用フック１がフック２０２の全体を下方の開放部を除いて覆うようになっている。
【００２５】
図３および図４は、本実施形態による吊り下げ用フック１の使用状態を示す図である。このうち、図３は、本実施形態の吊り下げ用フック１にハンド形子機１００および握り押しボタン１１０が懸架された通常の使用状態を示す側面図である。一方、図４は、ハンド形子機１００によって吊り下げ用フック１が壁面５０から離間する方向へ引っ張られたときの状態を示す図である。
【００２６】
図３に示すように、吊り下げ用フック１の第１の懸架部１１は、壁面５０から垂直に突出した状態で、その上面は水平状態となっている。これにより、例えば握り押しボタン１１０のコード１１２を上方から第１の懸架部１１に懸架して、コード１１２が壁面５０から離間する方向に抜け落ちるのを係止部１３により係止することができるようになっている。
【００２７】
また、図３に示す通常の使用状態では、第２の懸架部１２は、第１の面１２ａがほぼ水平状態となり、第２の面１２ｂがほぼ垂直状態となっている。これにより、例えばハンド形子機１００のハンガー部１０４を上方から第２の懸架部１２に懸架して、ハンガー部１０４が壁面５０から離間する方向に抜け落ちるのを係止することができるようになっている。
【００２８】
一方、図４の矢印Ａに示すように、第２の懸架部１２に懸架されたハンド形子機１００が壁面５０から離間する方向に引っ張られると、第２の懸架部１２がスリット１４の位置において弾性変形する。すなわち、ハンド形子機１００のハンガー部１０４が第２の面１２ｂにより係止された状態で、壁面５０から水平方向に離間する方向の外力をハンド形子機１００が受けた場合、第２の懸架部１２は、当該外力によりスリット１４の部分を基点として下方に折れるように傾倒する。これにより、第２の面１２ｂによる係止状態が解除され、第２の懸架部１２に懸架されていたハンガー部１０４は、第２の懸架部１２から滑り落ちる。
【００２９】
以上詳しく説明したように、本実施形態では、物品が懸架される第１の懸架部１１と、当該第１の懸架部１１の前方先端よりもさらに前方に設けられ、物品が懸架される第２の懸架部１２とを備えた構成としている。そして、第２の懸架部１２を弾性部材（ゴムまたはエストラマー）により構成している。
【００３０】
このように構成した本実施形態の吊り下げ用フック１によれば、異なる部位に形成された第１の懸架部１１と第２の懸架部１２のそれぞれに対して２つの物品を分けて懸架することができる。例えば、図３に示したように、第１の懸架部１１に握り押しボタン１１０のコード１１２を掛ける一方、第２の懸架部１２にハンド形子機１００のハンガー部１０４を懸架するといった使い方ができる。これにより、ハンド形子機１００のハンガー部１０４や握り押しボタン１１０のコード１１２を整理して懸架しやすくすることができる。
【００３１】
また、本実施形態の吊り下げ用フック１によれば、ハンド形子機１００のハンガー部１０４が第２の懸架部１２に懸架された状態において、懸架されたハンド形子機１００が無理に引っ張られる等により、水平方向（壁面５０から離間する方向）に過度な外力が第２の懸架部１２に加えられた場合であっても、第２の懸架部１２が弾性変形して変位することにより、ハンガー部１０４の係止状態が解除され、外力を逃がすことができる。これにより、吊り下げ用フック１およびハンド形子機１００のハンガー部１０４の損壊を回避することができる。
【００３２】
また、本実施形態の吊り下げ用フック１は、第１の懸架部１１の内部に空洞２１を有し、壁面５０に固定されたフック２０２を空洞２１内に挿入可能な構成としている。そして、フック２０２を空洞２１内に挿入したときに、第１の懸架部１１をフック２０２に対して固定させるための構造を持たせている。これにより、壁面５０に既に固定されているウォールユニットを取り換える必要がなく、本実施形態の吊り下げ用フック１をフック２０２に装着するだけで良いというメリットも有する。
【００３３】
なお、上記実施形態では、第２の懸架部１２の全体を弾性部材により構成する例について説明したが、本発明はこれに限定されない。例えば、第２の懸架部１２は、スリット１４およびその周辺部分のみを弾性部材により構成し、それ以外の部位は硬性樹脂等により構成するようにしてもよい。あるいは、第１の面１２ａを弾性部材により構成し、第２の面１２ｂを硬性樹脂により構成するようにしてもよい。
【００３４】
また、上記実施形態では、吊り下げ用フック１をフック２０２に装着する場合、フック２０２の全体が第１の懸架部１１の空洞２１内に挿入されるように、空洞２１の断面形状をフック２０２の係止部の形状と略同じとする構成としたが、本発明はこれに限定されない。例えば、図５（ａ）のように、フック２０２の少なくとも上方部分が空洞２１内に挿入されるように空洞２１を構成するようにしてもよい。あるいは、図５（ｂ）に示すように、フック２０２の全体がその下方も含めて吊り下げ用フック１で覆われるように、空洞２１の下方を開放せずに閉じた空間とするようにしてもよい。
【００３５】
また、上記実施形態では、吊り下げ用フック１をフック２０２に装着したときに、第１の懸架部１１の内接面２２とフック２０２の係止部の外接面とが圧接するようにして、第１の懸架部１１をフック２０２に固定させる例について説明したが、固定させるための構造はこれに限定されない。例えば、図５（ｃ）に示すように、第１の懸架部１１の空洞２１の内接面２２から内側に突出するツメ部２３を設け、このツメ部２３をフック２０２の係止部に係止させるようにしてもよい。
【００３６】
図５（ｃ）のような構成とすれば、吊り下げ用フック１が壁面５０から離間する方向に引っ張られても、ツメ部２３がフック２０２に引っ掛かり、吊り下げ用フック１がフック２０２から容易に外れないようにすることができる。この場合でも、第２の懸架部１２が弾性変形して傾倒するので、ハンド形子機１００のハンガー部１０４や吊り下げ用フック１の損壊を回避することができる。
【００３７】
また、上記実施形態では、第１の懸架部１１、第２の懸架部１２および係止部１３を一体的に構成し、何れも弾性部材（ゴムまたはエストラマー）とする例について説明したが、本発明はこれに限定されない。例えば、第１の懸架部１１および係止部１３を硬性部材により構成する一方、第２の懸架部１２の全体または一部を弾性部材により構成するようにしてもよい。ただし、第１の懸架部１１、第２の懸架部１２および係止部１３を一体として弾性樹脂で構成した方が好ましい。一体成形により製造が容易であり、第１の懸架部１１の内接面２２とフック２０２の外接面との密着力も大きくなり、装着の安定性が増すからである。
【００３８】
また、上記実施形態では、第１の懸架部１１に握り押しボタン１１０のコード１１２を懸け、第２の懸架部１２にハンド形子機１００のハンガー部１０４を懸架する例について説明したが、掛け方を逆にしてもよい。あるいは、第２の懸架部１２にハンド形子機１００のハンガー部１０４を懸架するとともに、同じハンド形子機１００のコードを第１の懸架部１１に掛けるようにしてもよい。また、懸架する物品もハンド形子機１００や握り押しボタン１１０に限定されない。懸架可能な構造を有しているものであれば、吊り下げ用フック１に懸架することが可能である。
【００３９】
また、上記実施形態では、第１の懸架部１１を、その後方端部から前方先端まで、壁面５０に対して略垂直に突出する形状に構成し、第１の懸架部１１の前方先端に係止部１３を設ける例について説明したが、本発明はこれに限定されない。例えば、図６に示すように、第１の懸架部１１’を、後方端部から前方先端までの間において、後方下側から前方上側に向けて傾斜する面１１ａを有する形状に構成してもよい。この場合の面１１ａは、図６に示すような曲面でもよいし、平面でもよい。図６のように第１の懸架部１１’を構成する場合、係止部１３は不要である。
【００４０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４１】
１  吊り下げ用フック
１１，１１’  第１の懸架部
１２  第２の懸架部
１２ａ  第１の面
１２ｂ  第２の面
１３  係止部
１４  スリット
２１  空洞
【図１】
2015208523.tif 000003
【図２】
2015208523.tif 000004
【図３】
2015208523.tif 000005
【図４】
2015208523.tif 000006
【図５】
2015208523.tif 000007
【図６】
2015208523.tif 000008
【図７】
2015208523.tif 000009
【図８】
2015208523.tif 000010